(57)【要約】【課題】定電圧駆動回路を用いない場合でも、定電圧駆動回路を用いる場合に使用する検査装置により所定の検査を行うことができる遊技機を提供する。【解決手段】制御回路２１は、ステップモータ１０を単位移動量駆動させる駆動信号を含む制御信号を定電流駆動回路２２に出力する。定電流駆動回路２２は、駆動信号を定電流電源に変換してステップモータ１０に供給する。波形整形回路３１は、ステップモータ１０に供給される定電流電源の波形を、駆動信号の波形を判別可能であり、所定の電圧レベルを有する波形に波形整形し、外部端子板３２の入力端子３２ａ、３２ｂに出力する。外部端子板３２の出力端子３２ｃあるいは３２ｄに、ステップモータ１０に定電圧電源を供給する駆動回路を用いる場合に使用する第１の検査装置４０あるいは第２の検査装置５０を接続することにより、第１の検査装置４０あるいは第２の検査装置５０による検査を行うことができる。【選択図】　　　　図１
2004056898.tif 000002
【特許請求の範囲】
【請求項１】
図柄表示手段と、図柄表示手段を駆動するモータと、モータに駆動電源を供給する駆動手段と、変動開始条件の成立あるいは変動停止条件の成立に基づいて図柄表示手段を駆動あるいは停止させる制御信号を駆動手段に出力する制御手段とを備える遊技機であって、
制御手段は、変動開始条件の成立に起因して、モータを単位移動量駆動させる駆動信号を含む制御信号を駆動手段に出力し、駆動手段は、制御信号に含まれている駆動信号を定電流電源に変換してモータに供給するとともに、駆動手段からモータに供給される定電流電源の波形を、駆動信号の波形を判別可能な波形に波形整形する波形整形手段を備える、
遊技機。
【請求項２】
請求項１に記載の遊技機であって、波形整形手段は、駆動手段からモータに供給される定電流電源の波形を、駆動信号の波形を判別可能な、所定の電圧レベルの波形に波形整形する遊技機。
【請求項３】
請求項１または２に記載の遊技機であって、波形整形手段で波形整形された波形を外部に出力可能な整形波形出力手段を備える遊技機。
【請求項４】
請求項２または３のいずれかに記載の遊技機であって、制御手段から出力される制御信号の波形を外部に出力可能な制御信号波形出力手段を備えるである遊技機。
【請求項５】
図柄表示手段と、図柄表示手段を駆動するモータと、モータに駆動電源を供給する駆動手段と、変動開始条件の成立あるいは変動停止条件の成立に基づいて図柄表示手段を駆動あるいは停止させる制御信号を駆動手段に出力する制御手段とを備える遊技機であって、
制御手段は、変動開始条件の成立に起因して、モータを単位移動量駆動させる駆動信号を含む制御信号を駆動手段に出力し、駆動手段は、制御信号に含まれている駆動信号を定電流電源に変換してモータに供給するとともに、制御手段から駆動手段に出力される制御信号の波形を外部に出力可能な制御信号波形出力手段を備える、
遊技機。
【請求項６】
図柄表示手段と、図柄表示手段を駆動するモータと、モータに駆動電源を供給する駆動手段と、変動開始条件の成立あるいは変動停止条件の成立に基づいて図柄表示手段を駆動あるいは停止させる制御信号を駆動手段に出力する制御手段とを備える遊技機であって、
制御手段は、変動開始条件の成立に起因して、モータを単位移動量駆動させる駆動信号を含む制御信号を駆動手段に出力し、駆動手段は、制御信号に含まれている駆動信号を定電流電源に変換してモータに供給するとともに、駆動手段からモータに供給される定電流電源の波形を、駆動信号の波形を判別可能な、電圧レベルの異なる複数の波形に波形整形する波形整形手段と、波形整形手段で波形整形された複数の波形を外部に出力可能な複数の整形波形出力手段を備える、
遊技機。
【請求項７】
図柄表示手段と、図柄表示手段を駆動するモータと、モータに駆動電源を供給する駆動手段と、変動開始条件の成立あるいは変動停止条件の成立に基づいて図柄表示手段を駆動あるいは停止させる制御信号を駆動手段に出力する制御手段とを備える遊技機であって、
制御手段は、変動開始条件の成立に起因して、モータを単位移動量駆動させる駆動信号を含む制御信号を駆動手段に出力し、駆動手段は、制御信号に含まれている駆動信号に応じた電源をモータに供給するとともに、駆動手段からモータに供給される電源の波形を、駆動信号の波形を判別可能な波形に波形整形する波形整形手段と、波形整形手段で波形整形された波形を外部に出力可能な整形波形出力手段と、制御手段から駆動手段に出力される制御信号の波形を外部に出力可能な制御信号波形出力手段を備える、
遊技機。
【発明の詳細な説明】
【０００１】
【発明の属する技術分野】
本発明は、遊技機に関する。特に、検査装置等の外部装置に適した遊技機状態信号を得ることができる遊技機に関する。
【０００２】
【従来の技術】
遊技店の中には、遊技機球を使用するパチンコ機だけでなく、コインを使用するスロットマシン（以下、「スロット機」という）を設置している遊技店がある。
通常、スロット機は、図柄を表示する図柄表示部がパチンコ機に比べて大きいため、図柄を図柄表示部に変動表示及び停止表示させるドラム（図柄表示手段）も大きいものが用いられる。これにより、スロット機は、パチンコ機に比べて大きい。
したがって、遊技店内には、パチンコ機設置用のパチンコ機島とスロット機設置用のスロット機島が設けられ、パチンコ機はパチンコ機島に配置され、スロット機はスロット機島に配置されている。
スロット機のドラムを駆動するモータとしては、ステップモータが用いられている。ステップモータは、制御信号に基づいてステップモータに供給する定電圧電源（例えば、２４Ｖの定電圧電源）をオン、オフ制御する駆動手段によって制御される。ここで、定電圧電源をオンする時間、オフする時間は、ステップモータを１ステップ角（単位移動量）移動させる時間（設定速度に応じて変化する）に設定される。
【０００３】
また、スロット機では、複数の検査装置（例えば、第１及び第２の検査装置）で動作確認等の試験が行われる。これらの検査装置は、スロット機の状態信号が入力され、入力された状態信号に基づいてスロット機の動作確認を行う。
例えば、第１の検査装置では、ステップモータに供給される２４Ｖの定電圧電源の波形が図柄表示手段の状態信号として入力される。そして、入力された２４Ｖの定電圧電源の波形に基づいて、例えば、ドラム（図柄表示手段）が駆動されて図柄表示部に図柄が変動表示されている状態でストップボタンが操作された時、ストップボタンが操作されてからドラム（図柄表示手段）が停止するまでの時間が検査される。ドラム（図柄表示手段）が停止したことは、例えば、定電圧電源の波形を積分した信号が所定時間以上所定値以下であるか否かによって判別する。
また、第２の検査装置では、ステップモータに供給される２４Ｖの定電圧電源の波形を５Ｖの定電圧電源の波形に変換し、変換された５Ｖの定電圧電源の波形が図柄表示手段の状態信号として入力される。そして、入力された５Ｖの定電圧電源の波形に基づいて、例えば、ドラム（図柄表示手段）が駆動されて図柄表示部に図柄が変動表示されている状態でストップボタンが操作された時、ドラム（図柄表示手段）が停止して図柄表示部に停止表示される図柄を検査する。例えば、５Ｖの定電圧電源の波形のオン及びオフの回数に基づいてステップモータ（ドラム）の停止位置、したがって、停止図柄を判別し、判別した停止図柄と実際の停止図柄とを比較する。
【０００４】
【発明が解決しようとする課題】
従来では、パチンコ機はパチンコ機島に、スロット機はスロット機島にしか配置することができないため、遊技店内における遊技機の配置条件等が制限される。そこで、スロット機をパチンコ機島にも設置できるように、スロット機の大きさをパチンコ機と同じ大きさにすることが要望されている。
スロット機の大きさを小さくする方法として、ドラムの代わりにリールを用いることが考えられる。
しかしながら、スロット機で使用可能な定電圧電源（例えば、２４Ｖの定電圧電源）が供給されるステップモータによってリールを駆動する場合、ステップモータの駆動トルクがリールとステップモータとの間の摩擦抵抗等に対して充分でないため、リールを安定して回転駆動させることができない。
安価にステップモータの駆動トルクを大きくするには、ステップモータに定電圧電源を供給する方式（定電圧方式）に代えて、定電流電源を供給する方式（定電流方式）を用いることが考えられる。
しかしながら、ステップモータに定電流電源を供給する方式を用いた場合、前記した各検査装置に入力する所定の状態信号（ステップモータに供給される２４Ｖの定電圧電源の波形、あるいは、ステップモータに供給される２４Ｖの定電圧電源の波形を変換して得た５Ｖの定電圧電源の波形）を得ることができない。
そこで、本発明は、モータに定電圧電源を供給する駆動回路を用いない場合でも、モータに定電圧電源を供給する駆動回路を用いる場合に使用する検査装置に必要な所定の状態信号を得ることができる遊技機を提供することを目的とする。
【０００５】
【課題を解決するための手段】
前記課題を解決するための本発明の第１発明は、請求項１に記載されたとおりの遊技機である。
請求項１に記載の遊技機では、制御手段から駆動手段に出力される制御信号に含まれている、図柄表示手段を駆動するモータを単位移動量（１ステップ移動量）だけ駆動させる駆動信号を定電流電源に変換してモータに供給し、モータに供給される定電流電源の波形を、駆動信号の波形を判別可能な波形に波形整形する波形整形手段を設けている。これにより、例えば、定電流電源をモータに供給する駆動回路を用いた場合でも、定電圧電源をモータに供給する駆動回路を用いる場合に使用される検査装置に必要な状態信号を得ることができ、定電圧電源をモータに供給する駆動回路を用いる場合に使用する検査装置を用いて遊技機の検査を行うことができる。
なお、「駆動信号の波形を判別可能な波形に波形整形する」という表現は、波形整形後の波形から少なくとも駆動信号の数を判別可能となるように波形整形するという意味である。
また、本発明の第２発明は、請求項２に記載されたとおりの遊技機である。
請求項２に記載の遊技機では、波形整形手段は、駆動信号の波形を判別可能であり、所定の電圧レベルを有する波形を出力する。これにより、波形整形手段で電圧レベルの変換も行うため、例えば、定電圧電源をモータに供給する駆動回路を用いる場合に使用する検査装置に波形整形回路の出力信号をそのまま入力することができる。
また、本発明の第３発明は、請求項３に記載されたとおりの遊技機である。
請求項３に記載の遊技機では、波形整形手段で波形整形された波形を外部に出力可能な整形波形出力手段を設けている。これにより、モータに定電圧電源を供給する駆動回路を用いる場合に使用する検査装置を整形波形出力手段に接続することによって、遊技機の所定の検査を行うことができる。
また、本発明の第４発明は、請求項４に記載されたとおりの遊技機である。
請求項４に記載の遊技機では、制御回路から出力される制御信号の波形を外部に出力可能な制御信号波形出力手段を備えている。これにより、モータに定電圧電源を供給する駆動回路を用いる場合に使用する検査装置を制御信号波形出力手段に接続することによって、遊技機の所定の検査を行うことができる。特に、整形波形出力手段及び制御信号波形出力手段を備える場合には、モータに定電圧電源を供給する駆動回路を用いる場合に使用する検査装置を整形波形出力手段あるいは制御信号波形出力手段に接続することができるため、種々の検査装置による検査を行うことができる。
また、本発明の第５発明は、請求項５に記載されたとおりの遊技機である。
請求項５に記載の遊技機では、制御手段から駆動手段に出力される制御信号に含まれている、図柄表示手段を駆動するモータを単位移動量駆動させる駆動信号を定電流電源に変換してモータに供給し、制御信号の波形を外部に出力可能な制御信号波形出力手段を設けている。これにより、定電流電源をモータに供給する駆動回路を用いた場合でも、定電圧電源をモータに供給する駆動回路を用いる場合に使用する検査装置に必用な状態信号を得ることができ、定電圧電源をモータに供給する駆動回路を供給する駆動回路を用いる場合に使用する検査装置を用いて遊技機の検査を行うことができる。
また、本発明の第６発明は、請求項６に記載されたとおりの遊技機である。
請求項６に記載の遊技機では、制御手段から駆動手段に出力される制御信号に含まれている、図柄表示手段を駆動するモータを単位移動量駆動させる駆動信号を定電流電源に変換してモータに供給し、モータに供給される定電流電源の波形を、駆動信号の波形を判別可能な、電圧レベルの異なる複数の信号に波形整形する波形整形手段と、波形整形手段で波形整形された複数の波形を外部に出力可能な複数の整形波形出力手段を設けている。これにより、定電流電源をモータに供給する駆動回路を用いた場合でも、定電圧電源をモータに供給する方式を用いる場合に使用する複数の検査装置を整形波形出力手段に接続することによって、複数の検査装置による所定の検査を行うことができる。
また、本発明の第７発明は、請求項７に記載されたとおりの遊技機である。
請求項７に記載の遊技機では、制御手段から駆動手段に出力される制御信号に含まれている、図柄表示手段を駆動するモータを単位移動量駆動させる駆動信号に応じた電源をモータに供給し、モータに供給される電源の波形を、駆動信号の波形を判別可能な信号に波形整形する波形整形手段と、波形整形手段で波形整形された波形を外部に出力可能な整形波形出力手段と、制御信号の波形を外部に出力可能な制御信号波形出力手段を設けている。これにより、どのような駆動回路（定電圧電源を供給する回路を含む）を用いた場合でも、定電圧電源をモータに供給する駆動回路を用いる場合に使用する検査装置を整形波形出力手段あるいは制御信号波形出力手段に接続することによって、検査装置による所定の検査を行うことができる。
【０００６】
【発明の実施の形態】
以下に、本発明の実施の形態を図面を参照して説明する。
図１は、本発明の第１の実施の形態の概略構成図である。なお、以下に示す各実施の形態は、本発明をスロット機に用いた場合のものである。
第１の実施の形態は、リール式の図柄表示部（図示省略）を駆動するステップモータ（駆動手段）１０、ステップモータ１０を制御する制御装置２０、第１の検査装置（Ａ）４０、第２の検査装置（Ｂ）５０に入力する遊技機の状態信号（本実施の形態では、ステップモータ１０、したがって図柄表示手段の状態信号）を外部に出力する信号出力装置３０により構成されている。
【０００７】
制御装置２０は、制御回路（制御手段）２１と定電流駆動回路（駆動手段）２２を有している。
制御回路２１は、変動開始条件が成立したか否か（例えば、スタートボタンが操作されたか否か）あるいは変動停止条件が成立したか否か（例えば、ストップボタンが操作されたか否か）を判断している。そして、変動開始条件が成立した場合には、ステップモータ１０を１ステップ角（単位移動量）移動させる駆動信号を含む制御信号を定電流駆動回路２２に出力する。例えば、図５に示すように、オン信号とオフ信号からなるパルス状の制御信号を出力する。図５に示すオン信号あるいはオフ信号が駆動信号に対応する。また、オン信号及びオフ信号の長さは、リール式の図柄表示手段を駆動するステップモータ１０を１ステップ角（単位移動量）移動させるのに必要な電源供給時間に対応する。したがって、制御回路２１から定電流駆動回路２２に出力された制御信号に含まれている駆動信号の数をカウントすることによって、ステップモータ１０（図柄表示手段）の位置を判別することができ、図柄表示部に表示されている図柄を判別することができる。
制御信号は、ステップモータ２２の各相の定電流駆動回路に、例えば、順次位相をずらせて供給される。
一方、変動停止条件が成立した場合には、ステップモータ１０を所定位置に停止させる停止信号を含む制御信号を定電流駆動回路２２に出力する。例えば、「０」レベルの制御信号、あるいは、微小レベルの保持信号を含む制御信号を出力する。
なお、制御信号の電圧レベル（例えば、オンの駆動信号の電圧レベル）は、通常５Ｖである。
【０００８】
定電流駆動回路２２は、制御回路２１から出力された制御信号に含まれている駆動信号を駆動電源（本実施の形態では、定電流電源）に変換してステップモータ１０に供給する。定電流駆動回路（例えば、チョッパー回路）２２からステップモータ１０に供給される駆動電流の波形を図５に示す。
図５に示すように、オンの駆動信号は、所定周期毎の、正のレベルの定電流電源に変換される。また、オフの駆動信号は、所定周期毎の、負のレベルの定電流電源に変換される。
【０００９】
信号出力装置３０は、波形整形回路３１と外部端子板３２を有している。
波形整形回路３１は、定電流駆動回路２２からステップモータ１０に供給され定電流電源の波形を波形整形する。波形整形回路３１は、例えば、図４に示すように、電流―電圧変換回路３１ａ、半波整流回路３１ｂ、積分回路３１ｃ、レベル変換回路３１ｄを有している。
電流−電圧変換回路３１ａは、ステップモータ１０のいずれかの相の電流信号を電圧信号に変換するものであり、例えば、電流トランスや電流検出抵抗等が用いられる。半波整流回路３１ｂは、電流−電圧変換回路３１ａから出力される信号を半波整流する（図５に示す正の定電電源あるいは負の定電流電源の一方を整流する）。積分回路３１ｃは、半波整流回路３１ｂから出力される信号を積分する。
このように、ステップモータ１０に供給される定電流電源の波形を半波整流し、積分すると、図５に示すように、制御回路２１から定電流駆動回路２２に出力された制御信号に含まれているオン信号及びオフ信号の長さに対応する長さのオン信号やオフ信号を有する波形整形信号（駆動信号の波形を判別可能な信号）を得ることができる。
さらに、レベル変換回路３１ｄは、積分回路３１ｃから出力される信号のレベルを所定レベルに変換する。例えば、前述した、２４Ｖの定電圧電源が入力される第１の検査装置（Ａ）４０で使用できるように、積分回路３１ｃの出力信号のレベル（例えば、オン信号のレベル）を２４Ｖに変換する（図５（ｂ）参照）。あるいは、前述した、５Ｖの定電圧電源が入力される第２の検査装置（Ｂ）で使用できるように、積分回路３１ｃの出力信号のレベル（例えば、オン信号のレベル）を５Ｖに変換する（図５（ａ）参照）。本実施の形態では、レベル変換回路３１ｄは、電圧レベルを２４Ｖと５Ｖに変換した波形整形信号を出力する。
【００１０】
波形整形回路３１で波形整形された信号は、外部端子板３２に出力される。例えば、２４Ｖの波形整形信号は外部端子板３２の入力端子３２ａに出力され、５Ｖの波形整形信号は入力端子３２ｂに出力される。
外部端子板３２には、入力端子３２ａに接続された出力端子３２ｃ、入力端子３２ｂに接続された出力端子３２ｄが設けられている。
これにより、２４Ｖの定電圧電源を入力する第１の検査装置（Ａ）４０の入力端子を外部端子板３２の出力端子３２ｃに接続することにより、第１の検査装置（Ａ）による検査を行うことができる。例えば、ステップモータ１０に供給される定電流電源の波形を、制御信号に含まれている駆動信号の波形を判別可能であり、２４Ｖの電圧レベルを有するように波形整形した信号に基づいて、ストップボタンが操作されてから図柄表示手段が停止するまでの時間を検査する。図柄表示手段が停止したか否かは、例えば、入力された信号を積分し、積分した信号のレベルが所定時間以上所定レベル以下である場合に図柄表示手段が停止したと判断する。
また、５Ｖの定電圧電源を入力する第２の検査装置（Ｂ）５０の入力端子を外部端子板３２の出力端子３２ｄに接続することにより、第２の検査装置（Ｂ）による検査を行うことができる。例えば、ステップモータ１０に供給される定電流電源の波形を、制御信号に含まれている駆動信号の波形を判別可能であり、５Ｖの電圧レベルを有するように波形整形した信号に基づいて、ストップボタンが操作された後図柄表示部に停止表示されている図柄を検査する。例えば、入力された制御信号に含まれている駆動信号の数をカウントすることによって、図柄表示部に停止表示されている図柄を判別する。
【００１１】
本実施の形態では、ステップモータ１０に供給される定電流電源の波形を、制御信号に含まれている駆動信号の波形を判別可能な波形に波形整形し、且つ、各波形整形した波形の電圧レベルを２４Ｖと５Ｖに変換している。
このため、波形整形回路３１と外部端子板３２を設けるだけで、既存の、定電圧方式で使用されている検査装置により検査することができる。
なお、本実施の形態では、出力端子３２ｃ、出力端子３２ｄが本発明の整形波形出力手段に対応する。
【００１２】
第１の実施の形態では、定電流電源の波形を波形整形して複数の状態信号を得たが、制御回路２１から定電流駆動回路２２に出力される制御信号を状態信号として用いることもできる。
ステップモータ１０に供給される定電流電源の波形及び制御回路２１から出力される制御信号を状態信号とする第２の実施の形態を図２に示す。
本実施の形態では、波形整形回路６１は、ステップモータ１０に供給される定電流電源の波形を、制御信号に含まれている駆動信号の波形を判別可能で、２４Ｖの電圧レベルを有する波形に波形整形している。そして、波形整形回路６１で波形整形した２４Ｖの波形整形信号を外部端子板６２の入力端子６２ａに出力する。
また、制御回路２１から定電流駆動回路２２に出力される制御信号を外部端子板６２の入力端子６２ｂに出力する。ここで、制御信号の電圧レベルは、通常５Ｖであるため、制御信号の電圧レベルは変更しないで、そのまま外部端子板６２の入力端子６２ｂに出力する。
そして、外部端子版６２の入力端子６２ａに接続された出力端子６２ｃに、電圧２４Ｖの定電圧電源が入力される第１の検査装置（Ａ）４０を接続する。これにより、第１の検査装置（Ａ）４０に、ステップモータ１０に供給される定電流電源の波形を、制御信号に含まれている駆動信号の波形を判別可能で、２４Ｖの電圧レベルを有する波形に波形整形した状態信号が入力され、第１の検査装置（Ａ）４０による検査を行うことができる。
また、外部端子版６２の入力端子６２ｂに接続された出力端子６２ｄに、電圧５Ｖの定電圧電源が入力される第２の検査装置（Ｂ）５０を接続する。これにより、第２の検査装置（Ｂ）５０に、制御回路２１から出力される５Ｖの、駆動信号を含む制御信号が入力され、第２の検査装置（Ｂ）５０による検査を行うことができる。
【００１３】
本実施の形態では、ステップモータ１０に供給される定電流電源の波形を、制御信号に含まれている駆動信号の波形を判別可能であり、電圧レベルが２４Ｖの信号に波形整形している。また、制御回路２１から出力される電圧レベルが５Ｖの制御信号をそのまま用いている。
このため、波形整形回路６１と外部端子板６２を設けるだけで、既存の、定電圧方式で使用されている検査装置により検査を行うことができる。
なお、本実施の形態では、出力端子６２ｃが本発明の整形波形出力手段に対応し、出力端子６２ｄが本発明の制御信号波形出力手段に対応する。
【００１４】
第１及び第２の実施の形態では、第１の検査装置（Ａ）４０及び第２の検査装置（Ｂ）５０のいずれかで検査可能に構成したが、いずれか一方の検査装置による検査のみを可能に構成することもできる。
第１の検査装置（Ａ）または第２の検査装置（Ｂ）のいずれ一方の検査装置による検査のみを可能に構成した第３の実施の形態の概略構成図を図３に示す。
図３では、第１の検査装置（Ａ）による検査が可能に構成した場合を実線で示し、第２の検査装置（Ｂ）による検査が可能に構成した場合を点線で示している。
第１の検査装置（Ａ）による検査のみを可能とする場合には、波形整形回路７１によって、ステップモータ１０に供給される定電流電源を、駆動信号の波形を判別可能であり、電圧レベル２４Ｖを有する波形に波形整形する。そして、波形整形回路７１で波形整形された信号を、外部端子版７２の入力端子７２ａに出力する。
これにより、外部端子版７２の、入力端子７２ａに接続されている出力端子７２ｂに第１の検査回路（Ａ）４０を接続することによって、第１の検査装置（Ａ）４０による検査が可能となる。
一方、第２の検査装置（Ｂ）による検査のみを可能とする場合には、制御回路２１から出力される５Ｖの制御信号を外部端子板７２の入力端子７２ｃに出力する。
これにより、外部端子版７２の、入力端子７２ｃに接続されている出力端子７２ｄに第２の検査回路（Ｂ）５０を接続することによって、第２の検査回路（Ｂ）５０による検査が可能となる。
【００１５】
本実施の形態では、波形整形回路７１と外部端子板７２を設け、外部端子板７２の出力端子７２ｂに第１の検査回路（Ａ）を接続するだけで、第１の検査回路（Ａ）４０による検査が可能となる。
あるいは、外部端子板７２を設け、外部端子板７２の出力端子７２ｄに第２の検査回路（Ｂ）を接続するだけで、第２の検査回路（Ｂ）による検査が可能となる。
なお、本実施の形態では、出力端子７２ｂが整形波形出力手段に対応し、出力端子７２ｄが本発明の制御信号波形出力手段に対応する。
【００１６】
以上の実施の形態では、整形波形を外部に出力する出力端子と制御信号の波形を外部に出力する出力端子を有する共通の外部端子板を設けたが、整形波形を外部に出力する出力端子を有する外部端子板と制御信号の波形を外部に出力する外部端子板を別個に設けることもできる。
別々の外部端子板を設けた第４の実施の形態を図６に示す。本実施の形態は、第２の実施の形態の外部端子板６２に代えて、外部端子板８２及び８３を設けたものである。
本実施の形態では、ステップモータ１０に供給される定電流電源の波形を波形整形する波形整形回路８１から出力される信号は、外部端子板８２の入力端子８２ａに入力される。外部端子板８２の入力端子８２ａは、出力端子８２ｂに接続されている。
また、制御回路２１から出力される制御信号は、外部端子板８３の入力端子８３ａに入力される。外部端子板８２の入力端子８２ａは、出力端子８２ｂに接続されている。
そして、外部端子版８２の出力端子８２ｂに第１の検査装置（Ａ）４０を接続することにより第１の検査装置（Ａ）４０による検査を行うことができ、また、外部端子版８３の出力端子８３ｂに第２の検査装置（Ｂ）５０を接続することにより第２の検査装置（Ｂ）５０による検査を行うことができる。
整形波形を外部に出力する出力端子を有する外部端子板及び制御信号の波形を外部に出力する出力端子を有する外部端子板を別個に設ける方法は、他の実施の形態にも用いることができる。
【００１７】
整形波形を外部に出力する出力端子及び制御信号の波形を外部に出力する出力端子を有する共通の外部端子板を用いる場合は、外部端子板の取付作業が容易であるが、取付位置が限定され、また、一方の出力端子に接触不良等が発生した場合には共通の外部端子板ごと交換する必要がある。
一方、本実施の形態のように、整形波形を外部に出力する出力端子を有する外部端子板及び制御信号の波形を外部に出力する出力端子を有する外部端子板を用いる場合には、取付作業は面倒であるが、個々の外部端子板毎に取付位置を選択することができ、また、一方の出力端子に接触不良等が発生した場合には一方の外部端子板のみを交換するだけよい。
なお、本実施の形態では、出力端子８２ｂが本発明の整形波形出力手段に対応し、出力端子８３ｂが本発明の制御信号波形出力手段に対応する。
【００１８】
本発明は、実施の形態で示した構成に限定されず、種々の変更、追加、削除が可能である。
例えば、第１の実施の形態では、モータに供給される定電流電源の波形を複数の電圧レベル（２４Ｖと５Ｖ）を有する波形に波形整形したが、制御回路２１から出力される制御信号を複数の電圧レベル（２４Ｖと５Ｖ）を有する波形に波形整形してもよい。ここで、通常、制御信号は５ｖの電圧レベルを有しているため、制御信号の電圧レベルを２４Ｖに変換する変換回路と、外部端子板を設ければよい。
また、駆動回路として定電流駆動回路を用いた場合について説明したが、駆動回路は定電流駆動回路に限定されない。要は、定電圧駆動回路を含むどのような駆動回路を用いた場合でも、定電圧駆動回路用の検査装置を用いて検査を行うことができればよい。すなわち、本発明は、「制御信号に含まれている駆動信号に応じた電源をモータに供給する駆動手段と、駆動手段からモータに供給される電源の波形を、駆動信号の波形を判別可能な信号に波形整形する波形整形手段と、波形整形手段で波形整形された波形を外部に出力可能な整形波形出力手段と、制御手段から駆動手段に出力される制御信号の波形を外部に出力可能な制御信号波形出力手段を備える遊技機。」として構成することができる。この場合には、例えば、定電圧駆動回路を用いる場合には、波形整形手段で波形整形された波形を第１の検査装置に入力することにより、定電流駆動回路を用いる場合には、制御信号の波形を第２の検査装置に入力することによって、第１の検査装置あるいは第２の検査装置による検査を行うことができる。
また、図柄表示手段を駆動するモータとしてステップモータを用いたが、モータとしては単位移動量毎に駆動することができるモータであればよい。
また、検査装置の検査内容は種々変更可能である。
また、第１と第２の検査装置を使用可能に構成したが、３以上の検査装置を使用可能に構成してもよい。
また、波形整形信号や制御信号の電圧レベルを変換するレベル変換回路を設けたが、レベル変換回路は省略してもよい。
また、整形波形や制御信号の波形を外部に出力可能な整形波形出力手段や制御信号波形出力手段（外部出力手段）は、整形波形や制御信号の波形を外部に出力可能な構成であればよい。
また、スロット機について説明したが、本発明は、スロット機以外のベルト式の表示装置を有する種々の遊技機に用いることができる。
【００１９】
【発明の効果】
以上説明したように、請求項１〜請求項７に記載の遊技機を用いれば、モータに定電圧電源を供給する駆動回路を用いない場合でも、モータに定電圧電源を供給する駆動回路を用いる場合に使用する検査装置により所定の検査を行うことができる。
【図面の簡単な説明】
【図１】本発明の第１の実施の概略構成図である。
【図２】本発明の第２の実施の概略構成図である。
【図３】本発明の第３の実施の概略構成図である。
【図４】波形整形回路の１例を示す図である。
【図５】各部の信号波形を示す図である
【図６】本発明の第４の実施の概略構成図である。
【符号の説明】
１０　モータ
２０　制御装置
２１　制御回路（制御手段）
２２　定電流駆動回路（駆動手段）
３０、６０、７０、８０　信号出力装置（信号出力手段）
３１、６１、７１、８１　波形整形回路（波形整形手段）
３２、６２、７２、８２、８３　外部端子板
４０、５０検査装置
【図１】
2004056898.tif 000003
【図２】
2004056898.tif 000004
【図３】
2004056898.tif 000005
【図４】
2004056898.tif 000006
【図５】
2004056898.tif 000007
【図６】
2004056898.tif 000008